(57)【要約】ＬＥＤ舞台照明装置に係り、より詳しくは、内部に収容空間を有し、前方が開放されているヘッド本体と、収容空間内に挿入され、多数のＬＥＤ素子が一面に設けられている基板と、ＬＥＤ素子と対応する位置に配置され、基板上に配置され、ＬＥＤ素子から放出される光を拡散させる多数のレンズを備えるが、基板から遠くなる方向、または基板と近接する方向に位置移動が可能なレンズ部と、レンズ部を、基板から遠くなる方向、または基板と近接する方向に駆動するレンズ駆動部と、レンズ部の下部に備えられ、レンズ部と基板との間に配置され、多数のＬＥＤ素子と対応する位置に設けられて、ＬＥＤ素子から放出される光が側方向に流出されることを遮断する多数のスカートを備えるスカート部と、を含むことを特徴とするＬＥＤ舞台照明装置である。【選択図】図３
2014535152.tif 000002
【特許請求の範囲】
【請求項１】
内部に収容空間を有し、前方が開放されているヘッド本体と、
前記収容空間内に挿入され、多数のＬＥＤ素子が一面に設けられている基板と、
前記ＬＥＤ素子と対応する位置に配置され、前記基板上に配置され、前記ＬＥＤ素子から放出される光を拡散させる多数のレンズを備えるが、前記基板から遠くなる方向、または前記基板と近接する方向に位置移動が可能なレンズ部と、
前記レンズ部を、前記基板から遠くなる方向、または前記基板と近接する方向に駆動するレンズ駆動部と、
前記レンズ部の下部に備えられ、前記レンズ部と前記基板との間に配置され、前記多数のＬＥＤ素子と対応する位置に設けられて、前記ＬＥＤ素子から放出される光が側方向に流出されることを遮断する多数のスカートを備えるスカート部と、を含むことを特徴とするＬＥＤ舞台照明装置。
【請求項２】
前記スカートは、上下方向に開放された通路を有する円筒状に構成され、
前記通路を通じて、前記ＬＥＤ素子から発生した光が進行するように配置されることを特徴とする請求項１に記載のＬＥＤ舞台照明装置。
【請求項３】
前記スカートは、前記レンズ部の下部に固定結合され、前記レンズ部と共に駆動されることを特徴とする請求項１に記載のＬＥＤ舞台照明装置。
【請求項４】
前記レンズ駆動部は、前記レンズ部に締結され、直線方向に移動可能な駆動軸と、前記駆動軸に直線方向の駆動力を提供するモータ本体とからなるアクチュエータモータを含むことを特徴とする請求項１に記載のＬＥＤ舞台照明装置。
【請求項５】
前記レンズ部を挟んで、前記基板の反対側に配置され、前記多数のレンズと対応する位置ごとに貫通ホールが形成されており、前記貫通ホールを通じてのみ、ＬＥＤ素子から放出された光を外部に放出させ、貫通ホール以外の部分では、光が外部に放出されることを抑制することによって、外部に放出される光のエッジがぼけることを防止するレンズフードをさらに含むことを特徴とする請求項１に記載のＬＥＤ舞台照明装置。
【請求項６】
前記レンズフードは、前記レンズ部と固定結合され、前記レンズ部と共に駆動されることを特徴とする請求項５に記載のＬＥＤ舞台照明装置。
【請求項７】
前記レンズフードは、前記貫通ホールが多く形成されているフード板と、前記多数の貫通ホールそれぞれの周りから、前記レンズに向かって延びている円筒状の側壁部と、を含むことを特徴とする請求項５に記載のＬＥＤ舞台照明装置。
【請求項８】
前記多数のＬＥＤ素子のうち、基板の中心から同一距離だけ離隔されているＬＥＤ素子は、各ＬＥＤ素子の側面内に、前記基板の中心を同心にして描いた仮想円の接線が位置するように、前記基板上に設けられており、前記ＬＥＤ素子から放出される光のエッジは円形となることを特徴とする請求項１に記載のＬＥＤ舞台照明装置。
【発明の詳細な説明】
【技術分野】
【０００１】
本発明は、ＬＥＤ舞台照明装置に係り、より詳しくは、出力される光の焦点を容易に調節可能であり、光周辺のボケを防止することができ、光を舞台に円形に鮮明に照らして、全体的に光の出力を向上させるＬＥＤ舞台照明装置に関する。
【背景技術】
【０００２】
一般的に、舞台用照明装置には、人物や事物などを強調して照らしたり、舞台上の特定の部分を照明する強力なスポットライトを作るために、十分な照度が得られるメタルハライドランプ、水銀灯、ネオンランプ、ハロゲンランプなどが使われて来たが、消費電力が高く、エネルギー消耗が多く、寿命が短く、多様な色相の光を演出することが困難であるという短所を有する。
【０００３】
かかる問題点を解決するために、最近、消費電力が低く、半永久的な寿命を有し、点灯にかかる時間が短く、自然な光を演出し、環境有害物質の発生を減少させるＬＥＤを適用した舞台照明装置について、熱の発散、ノイズの減少、及び消費電力の低減のために、舞台用照明装置の光源として多く適用している。
しかし、舞台照明装置の特性上、舞台に対する照明が確実かつ鮮明に行われなければならないが、従来の舞台照明装置は、光の焦点を調節することが困難であるので、舞台の位置によって照らされる光の鮮明度が低くなり、全体的に光の品質が低下するという問題点があった。
【０００４】
また、光を出力するＬＥＤには、光の拡散を容易にするために、レンズが設けられているが、当該レンズは、光を拡散させて広い範囲に光を照らすものの、出力される光のエッジ部分に多少ボケ現象を引き起こす恐れがあった。
また、通常的に使われるＬＥＤ素子は、概ね格子状に配置されるが、その時、ＬＥＤチップは、直方体状を有しているので、舞台に照らされる光のエッジは、円形ではない角のある形態をなして、全体的な光の品質が低下するという問題点があった。
【発明の概要】
【発明が解決しようとする課題】
【０００５】
本発明の目的は、前述した問題点を解決するためになされたものであって、より詳しくは、舞台に照らされる光に対する全体的な出力品質を向上させるＬＥＤ舞台照明装置を提供することにある。
【課題を解決するための手段】
【０００６】
前記目的を達成するために、本発明のＬＥＤ舞台照明装置は、内部に収容空間を有し、前方が開放されているヘッド本体と、前記収容空間内に挿入され、多数のＬＥＤ素子が一面に設けられている基板と、前記ＬＥＤ素子と対応する位置に配置され、前記基板上に配置され、前記ＬＥＤ素子から放出される光を拡散させる多数のレンズを備えるが、前記基板から遠くなる方向、または前記基板と近接する方向に位置移動が可能なレンズ部と、前記レンズ部を、前記基板から遠くなる方向、または前記基板と近接する方向に駆動するレンズ駆動部と、前記レンズ部の下部に備えられ、前記レンズ部と前記基板との間に配置され、前記多数のＬＥＤ素子と対応する位置に設けられて、前記ＬＥＤ素子から放出される光が側方向に流出されることを遮断する多数のスカートを備えるスカート部と、を含むことを特徴とする。
【０００７】
望ましくは、本発明の一実施形態によれば、前記スカートは、上下方向に開放された通路を有する円筒状に構成され、前記通路を通じて、前記ＬＥＤ素子から発生した光が進行するように配置される。
【０００８】
望ましくは、本発明の一実施形態によれば、前記スカートは、前記レンズ部の下部に固定結合され、前記レンズ部と共に駆動される。
【０００９】
望ましくは、本発明の一実施形態によれば、前記レンズ駆動部は、前記レンズ部に締結され、直線方向に移動可能な駆動軸と、前記駆動軸に直線方向の駆動力を提供するモータ本体とからなるアクチュエータモータを含む。
【００１０】
望ましくは、本発明の一実施形態によれば、前記レンズ部を挟んで、前記基板の反対側に配置され、前記多数のレンズと対応する位置ごとに貫通ホールが形成されており、前記貫通ホールを通じてのみ、ＬＥＤ素子から放出された光を外部に放出させ、貫通ホール以外の部分では、光が外部に放出されることを抑制することによって、外部に放出される光のエッジがぼけることを防止するレンズフードをさらに含む。
【００１１】
望ましくは、本発明の一実施形態によれば、前記レンズフードは、前記レンズ部と固定結合され、前記レンズ部と共に駆動される。
【００１２】
望ましくは、本発明の一実施形態によれば、前記レンズフードは、前記貫通ホールが多く形成されているフード板と、前記多数の貫通ホールそれぞれの周りから、前記レンズに向かって延びている円筒状の側壁部とを含む。
【００１３】
望ましくは、本発明の一実施形態によれば、前記多数のＬＥＤ素子のうち、基板の中心から同一距離だけ離隔されているＬＥＤ素子は、各ＬＥＤ素子の側面内に、前記基板の中心を同心にして描いた仮想円の接線が位置するように、前記基板上に設けられており、前記ＬＥＤ素子から放出される光のエッジは円形となる。
【発明の効果】
【００１４】
本発明によれば、ＬＥＤ素子から放出される光を拡散させるレンズが、必要に応じてＬＥＤ素子との距離を調節できるので、焦点距離が変化可能であり、全体的に出力される光の品質を向上させることができる。
また、本発明によれば、ＬＥＤ素子から放出される光を拡散させるレンズの下部に、通路が形成されたスカートが備えられることによって、光のボケ及び不要な重畳を防止できるので、全体的に出力される光の品質を向上させることができる。
また、本発明によれば、ＬＥＤ素子から放出された光を拡散させるレンズの周辺に、所定の貫通ホールを有するフードが設けられているので、光のボケを防止でき、全体的に出力される光の品質を向上させることができる。
さらに、本発明によれば、ＬＥＤ素子が円形の枠を有する光を照明するように、基板上に配列されているので、全体的に光の品質を向上させることができる。
【図面の簡単な説明】
【００１５】
【図１】本発明の一実施形態によるＬＥＤ舞台照明装置の前面斜視図である。
【図２】図１のＬＥＤ舞台照明装置の背面斜視図である。
【図３】図１のＬＥＤ舞台照明装置の分離斜視図である。
【図４】図３に示すスカート部の一部を示す図面である。
【図５】図１のＬＥＤ舞台照明装置の一部を示す図面である。
【図６】図１のＬＥＤ舞台照明装置の一部を示す図面である。
【図７】図３の正面図である。
【図８】図７のＶ−Ｖ線の断面図である。
【図９】図７のＶＩＩ−ＶＩＩ線の断面を通じて示す作動図である。
【図１０】図１のＬＥＤ舞台照明装置において、ＬＥＤ素子の配列形態を示す図面である。
【図１１】図１のＬＥＤ舞台照明装置を利用して、光が出力される様子を示す図面である。
【図１２】図１のＬＥＤ舞台照明装置を利用して、光が出力される様子を示す図面である。
【発明を実施するための形態】
【００１６】
本発明においては、内部に収容空間を有し、前方が開放されているヘッド本体と、前記収容空間内に挿入され、多数のＬＥＤ素子が一面に設けられている基板と、前記ＬＥＤ素子と対応する位置に配置され、前記基板上に配置され、前記ＬＥＤ素子から放出される光を拡散させる多数のレンズを備えるが、前記基板から遠くなる方向、または前記基板と近接する方向に位置移動が可能なレンズ部と、前記レンズ部を、前記基板から遠くなる方向、または前記基板と近接する方向に駆動するレンズ駆動部と、前記レンズ部の下部に備えられ、前記レンズ部と前記基板との間に配置され、前記多数のＬＥＤ素子と対応する位置に設けられて、前記ＬＥＤ素子から放出される光が側方向に流出されることを遮断する多数のスカートを備えるスカート部と、を含むことを特徴とするＬＥＤ舞台照明装置を提供する。
【００１７】
以下、本発明の望ましい実施形態について、添付された図面を参照しつつ詳細に説明する。
本発明の一実施形態によるＬＥＤ舞台照明装置１０は、ヘッド部２０、ヘッド駆動部９０、及びベース９１を含む。前記ヘッド部２０は、ＬＥＤ素子４１から発生した光を外部に放出するものであり、前記ヘッド駆動部９０は、前記ヘッド部２０を支持し、かつ前記ヘッド部２０を所定の方向にティルティングさせるものであり、前記ベース９１は、前記ヘッド駆動部９０と、前記ヘッド部２０とを支持し、ＬＥＤ舞台照明装置１０を設置位置に固定するものである。ここで、ヘッド駆動部９０及びベース９１は、従来の技術と類似したものであるので、具体的な説明は省略し、ヘッド部２０について具体的に説明する。
【００１８】
前記ヘッド部２０は、ヘッド本体３０、基板４０、スカート部５０、レンズ部６０、レンズフード７０、及びレンズ駆動部８０を含む。
【００１９】
前記ヘッド本体３０は、内部に収容空間Ｓを有し、前方が開放されており、その前方の開放された部分を通じて、内部のＬＥＤ素子４１から放出された光を外部に照射するものである。ヘッド本体３０の前面をなす収容空間Ｓには、基板４０が載置され、その収容空間Ｓの反対側であるヘッド本体３０の背面には、多数のヒートシンク３１が配置される。その時、ヒートシンク３１は、ヘッド本体３０の背面から突設され、熱伝達係数が高く、重さが軽い材質、例えば、アルミニウムで形成される。かかるヒートシンク３１は、前記ヘッド本体３０の中心から所定の距離だけ離隔され、前記ヘッド本体３０の外周面に沿って形成される。前記多数のヒートシンクは、前記ヘッド本体３０の中心に対して互いに対称に放射状に形成される。かかるヒートシンク３１は、前記基板４０から発生した熱を外部に容易に放出させる機能を遂行する。
【００２０】
前記ヘッド本体３０には、前記ヒートシンク３１を取り囲みつつ覆っている背面蓋３２が配置されており、前記背面蓋３２には、多数の貫通ホールが形成され、ヒートシンク３１から放出される熱を容易に外部に放出させることができる。
【００２１】
前記基板４０は、その一面に六面体状を有する多数のＬＥＤ素子４１が設けられる。前記多数のＬＥＤ素子４１は、赤色、緑色、青色のＬＥＤ素子４１であり、選択的に白色のＬＥＤ素子４１を含んでもよい。前記多数のＬＥＤ素子４１は、円板状の基板４０上に多く配置されるが、具体的には、概ね格子状に配列される。ただし、本実施形態におけるＬＥＤ素子４１は、基板４０の中心から同一距離だけ離隔されているＬＥＤ素子４１が多く存在するが、その時、基板４０の中心から同一距離だけ離隔されているＬＥＤ素子４１は、放出される光のエッジが円形となるように、基板４０上に配列される。具体的には、同一距離に位置するＬＥＤ素子４１の側面内に、基板４０の中心を同心にして描いた仮想円Ｃの接線が位置するように、前記基板４０上に設けられる。すなわち、ＬＥＤ素子４１の側面が、前記仮想円Ｃの接線方向に接する方向性を有するように、基板４０上に配置される。このように配列されるＬＥＤ素子４１から放出される光は、円形を有するので、出力される光の品質を向上させることができる。
【００２２】
前記レンズ部６０は、ＬＥＤ素子４１と対応する位置に配置され、前記ＬＥＤ素子４１から放出される光を拡散させる多数のレンズ６０ａを含む。前記レンズ部６０は、基板４０から遠くなる方向、または基板４０と近接する方向に位置移動が可能である。このように、レンズ部６０の位置が移動される場合には、光の拡散程度及び焦点距離を変化させ、光の品質を向上させることができる。
【００２３】
一方、前記レンズ部６０には、後述するレンズ駆動部８０の駆動軸８１が挿入される挿入部６１が設けられており、前記挿入部６１に前記駆動軸８１が締結されることによって、駆動軸８１の直線移動によって、レンズ部６０が連動して移動可能にする。前記レンズ部６０には、前記レンズ部６０を支持する金属支持板６２が設けられる。
【００２４】
前記金属支持板６２の下部には、スカート部５０が備えられる。スカート部５０は、ＬＥＤ素子４１から放出される光が左右方向に漏れないようにする多数のスカート５０ａを含む。図４に示すように、それぞれのスカート５０ａは、上下端が開放されて、通路を有する円筒状に構成され、前記スカート５０ａは、前記円筒状の通路が、それぞれのＬＥＤ素子４１の光が進行する方向と対応して設けられる。前記スカート５０ａは、前記金属支持板６２の下部に備えられるので、前記金属支持板６２の移動によって、前記ＬＥＤ素子４１から離隔されたり、前記ＬＥＤ素子４１に隣接するように変位する。望ましくは、前記スカート５０ａは、ゴムまたはシリコンのように、弾性を有したり、変形可能な材質で構成される。また、前記スカート５０ａは、外部に漏れる光を遮断できるように、黒色で構成されるが、それに限定されず、光を遮断できるものならば、多様な色相が可能であり、特殊な素材を使用することによって、光を遮断できることはいうまでもない。
【００２５】
前記レンズフード７０は、前記レンズ部６０を挟んで、前記基板４０の反対側に配置され、前記多数の対応する位置ごとに貫通ホール７１ａが形成されている。前記レンズフード７０は、概ね円板状に形成されるが、外部に放出される光を遮断できるように、黒色で構成される。ただし、それに限定されるものではなく、光を遮断できるものならば、多様な色相が可能であり、特殊な素材を使用することによって、光を遮断できることはいうまでもない。前記レンズフード７０は、貫通ホール７１ａを通じてのみ、ＬＥＤ素子４１から放出された光を外部に放出させ、貫通ホール７１ａ以外の部分では、光が外部に放出されることを抑制することによって、外部に放出される光のエッジがぼけることを防止できる。
【００２６】
一方、レンズフード７０は、具体的には、概ね円板状に形成され、多数の貫通ホール７１ａが形成されているフード板７１と、多数の貫通ホール７１ａそれぞれの周りから、前記レンズに向かって延びている円筒状の側壁部７２とを含む。前記側壁部７２は、レンズの周辺を取り囲み、レンズから放出される光が貫通ホール７１ａに集中されるように一助とする機能を遂行する。一方、レンズフード７０は、前記レンズ部６０の背面側に配置された金属支持板６２と固定され、前記レンズフード７０が、前記金属支持板６２と結合されることによって、前記第２レンズ部６０及び金属支持板６２と共に、前記レンズフード７０が連動して駆動される。
【００２７】
前記レンズ駆動部８０は、前記レンズ部６０と結合され、前記レンズ部６０を、前記基板４０から遠くなる方向、または基板４０と近接する方向に駆動する。前記レンズ駆動部８０は、前記レンズ部６０に締結され、直線方向に移動可能な駆動軸８１と、前記駆動軸８１に直線方向の駆動力を提供するモータ本体８２とからなる。本実施形態において使われるモータは、アクチュエータモータを使用しているが、当該アクチュエータモータは、回転方式なしに直接直線的に駆動軸８１を移動させるので、レンズの移動による精度を確実に向上させることができる。前記レンズ駆動部８０は、ヘッド本体３０にモータ本体８２が結合された状態で、駆動軸８１のみが突出して、レンズ部６０に締結される。
【００２８】
一方、符号番号２１と２２は、それぞれレンズカバーと固定部材を指す。前記レンズカバー２１は、前記固定部材２２の前面に結合される。前記レンズカバー２１は、前記固定部材２２に、締結手段２２１により結合される。
【００２９】
前記固定部材２２は、リング状を有するものであって、前記ヘッド本体３０の正面から、前記ヘッド本体３０の外周に結合され、前記ヘッド本体３０の内部に装着された前記ＬＥＤ用基板４０と、前記レンズ部６０とを、前記ヘッド本体３０内に位置させる。
【００３０】
本実施形態によるＬＥＤ舞台照明装置１０は、次のように作動する。
まず、光の焦点を変化させたり、拡散程度を調整するために、レンズ部６０を、基板４０から遠くなる方向、または基板４０と近接する方向に移動させる。レンズ部６０を、基板４０から遠くなるように移動させる場合には、図８に示すように、モータ本体８２に所定の電気的な信号を加えることによって、前記駆動軸８１を突出させる。このように、駆動軸８１が突出する場合には、その駆動軸８１に締結されているレンズ部６０が、前記基板４０から遠くなる方向に移動する。一方、これと共にレンズ部６０と連動して動くように構成されたレンズフード７０も移動する。このように、レンズ部６０が移動する場合には、ＬＥＤ素子４１との距離が遠くなるにつれて、所望の程度の光の焦点が得られる。
【００３１】
また、その時に放出される光は、レンズフード７０の貫通ホール７１ａを通過するので、より鮮明な光が得られる。例えば、エッジのボケ部分は、既にレンズフード７０により除去された状態で照射されているので、舞台に照らされる照明は、鮮明なエッジの枠を有することができる。
【００３２】
一方、前記ＬＥＤ素子４１から放出される光は、レンズ部６０を通過する前に、円筒状に構成されたスカート５０ａの通路を通過することによって、より鮮明な光が得られる。すなわち、エッジのボケ部分がスカート５０ａにより除去された状態で照射されることによって、より鮮明な光が具現される。併せて、それぞれのＬＥＤ素子４１から放出される光が側方向に進むことを遮断することによって、前記光が互いに重畳されず、より鮮明な光が得られる。一方、前記スカート５０ａは、前記レンズ部６０に固定結合されることによって、前記レンズ部６０と連動して動き、それによって、所望の程度の光の焦点及び鮮明度を達成できる。
【００３３】
また、ＬＥＤ素子４１は、図１０のように、基板４０上に配列されているので、図１１に示すように、基板４０の中心から同一距離に位置しているＬＥＤ素子４１から放出される光は、その枠が円形をなす。図１０では、白色の光が照射されるものを例示したが、図１２に示すように、多様な色相の光が重畳されて照射される場合にも同様に、照射される光のエッジの枠が円形を有する。
【００３４】
以上、本発明を説明するにあたって、図面に示した実施形態を参照して説明したが、それは、例示的なものに過ぎず、当業者ならば、それから多様な変形及び均等な他の実施形態が可能であるという点を理解できるであろう。したがって、本発明の真の技術的保護範囲は、特許請求の範囲の技術的思想により決まらなければならない。
【図１】
2014535152.tif 000003
【図２】
2014535152.tif 000004
【図３】
2014535152.tif 000005
【図４】
2014535152.tif 000006
【図５】
2014535152.tif 000007
【図６】
2014535152.tif 000008
【図７】
2014535152.tif 000009
【図８】
2014535152.tif 000010
【図９】
2014535152.tif 000011
【図１０】
2014535152.tif 000012
【図１１】
2014535152.tif 000013
【図１２】
2014535152.tif 000014
【国際調査報告】
2014535152.tif 000015
2014535152.tif 000016
2014535152.tif 000017
2014535152.tif 000018